(57)【特許請求の範囲】
【請求項１】
薬剤を収納する複数の収納室、及び前記各収納室間を開封可能に仕切る仕切り用封止部を備えた容器本体に取り付けられ、当該容器本体から薬剤を排出可能な薬剤排出具であって、
それぞれが、前記容器本体側と前記容器本体から外部に露出する側とを連通する、少なくとも１つの第１の流路及び第２の流路を有する排出具本体と、
前記第１の流路における前記容器本体側の開口を塞ぎ、外力により当該開口を開くことが可能な第１の封止部材と、
前記第２の流路における前記外部に露出する側の開口から挿入可能で、当該第２の流路を塞ぐ、第２の封止部材と、
前記第１の流路及び第２の流路において、前記外部に露出する側の開口を塞ぐ栓部材と、を備えている、薬剤排出具。
【請求項２】
前記第２の流路は、前記排出具本体の中央に配置され、
前記第１の流路は、前記第２の流路の周囲を囲むように配置されている、請求項１に記載の薬剤排出具。
【請求項３】
前記第１の流路の総断面積は、前記第２の流路の総断面積よりも大きい、請求項１または２に記載の薬剤排出具。
【請求項４】
前記第１及び第２の流路は、前記容器本体側から外部に露出する側へ延びる途中で合流し、前記排出具本体において前記容器本体側から外部に露出する側に単一の開口が形成され、前記栓部材は当該単一の開口に取り付けられる、請求項１から３のいずれかに記載の薬剤排出具。
【請求項５】
前記第１の封止部材は、貫通孔を有する円筒状に形成されるとともに、軸方向に沿って２つに分割された第１の封止材及び第２の封止材で構成され、
前記第１の流路は、前記第１及び第２の封止材によって塞がれ、
前記第１及び第２の封止材は、外力によって分離可能に互いに接続されている、請求項１から４のいずれかに記載の薬剤排出具。
【請求項６】
薬剤を収納する複数の収納室、及び前記各収納室間を開封可能に仕切る仕切り用封止部を備えた容器本体と、
前記容器本体に取り付けられ、当該容器本体から薬剤を排出可能な、請求項１から５のいずれかに記載の薬剤排出具と、
を備えている、複室容器。
【請求項７】
薬剤を収納する複数の収納室、及び前記各収納室間を開封可能に仕切る仕切り用封止部を備えた容器本体と、
前記容器本体に取り付けられ、当該容器本体から薬剤を排出可能な、請求項１から４のいずれかに記載の薬剤排出具と、
を備え、
前記第１の封止部材の少なくとも一部が、前記容器本体において互いに対向する内壁面の一方に固定されている、複室容器。
【請求項８】
薬剤を収納する複数の収納室、及び前記各収納室間を開封可能に仕切る仕切り用封止部を備えた容器本体と、
前記容器本体に取り付けられ、当該容器本体から薬剤を排出可能な、請求項５に記載の薬剤排出具と、
を備え、
前記第１及び第２の封止材は、前記容器本体において互いに対向する内壁面のそれぞれに固定されている、複室容器。
【請求項９】
薬剤を収納する複数の収納室、及び前記各収納室間を開封可能に仕切る仕切り用封止部を備えた容器本体と、
前記容器本体に取り付けられ、当該容器本体から薬剤を排出可能な、請求項１から４のいずれかに記載の薬剤排出具と、
を備え、
前記第１の封止部材は、前記第１の流路における前記容器本体側の開口を塞ぐ基部と、当該基部と連結される一対の連結片と、を備え、
前記各連結片は、前記容器本体において互いに対向する内壁面のそれぞれに固定されている、複室容器。
【請求項１０】
前記容器本体を押圧すると、前記仕切り用封止部の開通とともに前記第１の封止部材が前記排出具本体から離脱し、前記第１の流路が開通する、請求項６から９のいずれかに記載の複室容器。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備えた複室容器、及び、当該複室容器に取り付けられる薬剤排出具に関する。
【背景技術】
【０００２】
静脈注射により患者に投与される薬剤や、眼灌流液、腹膜透析液などの薬剤の中には、予め配合すると望ましくない経時変化を起こすような不安定な薬剤がある。例えば、アミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液とを配合しておくと、リン酸カルシウムの沈殿を生じ、望ましくない変化を起こす。
【０００３】
このような薬剤に対しては、次のような複室容器が用いられることが多い。この複室容器は、薬剤を収納する２つの収納室を備えたプラスチックフィルム製の容器本体と、この容器本体から薬剤を排出する薬剤排出具とを備えている。２つの収納室は、容器本体の内壁面同士を熱融着した仕切り用封止部によって仕切られている。使用に際しては、いずれかの収納室の中央付近を押圧し、収納室内の圧力を高めて仕切り用封止部を開封する。これによって両収納室が連通し、２つの薬剤が混合される。その後、薬剤排出具を刺入等によって開封し、混合後の薬剤を患者に投与する。
【０００４】
ところで、上記のような複室容器では、仕切り用封止部の開封前に、薬剤排出具を開封すると、混合前の薬剤が排出されるという問題があった。これを解決するため、例えば、特許文献１では、薬剤排出具に封止部材を係合させ、仕切り用封止部を開封する際に容器本体内に生じる圧力で封止部材が移動し薬剤排出具が開通する複室容器が提案されている。この封止部材を設けることで、仕切り用封止部の開封前に薬剤排出具を開封しても、封止部材によって収納室から薬剤が排出されるのを防止することができる。
【先行技術文献】
【特許文献】
【０００５】
【特許文献１】特開２００５−２８０４０号公報
【発明の概要】
【発明が解決しようとする課題】
【０００６】
しかしながら、上記特許文献１に記載の複室容器では、次のような問題を有している。すなわち、薬剤排出具に予め封止部材を取り付ける必要があるため、製造過程において、薬剤排出具から容器本体内に薬剤を注入することができないという問題がある。そのため、容器本体の一部を開封した状態で薬剤を注入し、薬剤投入後、容器本体の開封部を熱融着により封止する必要があった。そのため、複室容器の製造工程が複雑になるという問題がある。
【０００７】
本発明は、上記問題を解決するためになされたものであり、混合前の薬剤が排出されるのを防止でき、かつ、容易に製造可能な複室容器、及び当該複室容器に取り付けられる薬剤排出具を提供することを目的とする。
【課題を解決するための手段】
【０００８】
本発明は、薬剤を収納する複数の収納室、及び前記各収納室間を仕切る仕切り用封止部を備えた容器本体に取り付けられ、当該容器本体から薬剤を排出可能な薬剤排出具であって、前記容器本体側、及び当該容器本体から外部に露出する側を連通する第１及び第２の流路を有する排出具本体と、前記第１の流路における前記容器本体側の開口を塞ぎ、外力により当該開口を開くことが可能な第１の封止部材と、前記第２の流路における前記外部に露出する開口から挿入可能で、当該第２の流路を塞ぐ、第２封止部材と、前記第１及び第２の流路において、前記外部に露出する側の開口を塞ぐ栓部材と、を備えている。
【０００９】
この構成によれば、排出具本体に、２つの流路を設け、第１の流路を容器本体側から第１の封止部材で塞ぎ、第２の流路を容器本体の外部側から塞いでいるため、次の効果を得ることができる。まず、両流路を塞いでいるため、容器本体の仕切り用封止部を開封する前に栓部材を開いても、混合前の薬剤が排出されるのを防止することができる。そして、薬剤を排出するときには、第１の封止部材に外力を加えて、第１の流路を開封すればよい。また、第２の封止部材を、第２の流路において外部に露出する側の開口から挿入できるため、容器本体内に、第２の流路から薬剤を注入することができ、注入後に第２の封止部材で第２の流路を塞ぐことができる。その結果、容器本体の一部を開いて薬剤を注入するといった複雑な工程を経ることなく、薬剤排出具を介して容器本体内へ薬剤の注入が可能となる。なお、ここでいう「外力により開くことができる」とは、薬剤排出具の運搬中には開かないが積極的に外力を加えることにより開く程度の強度をいい、いわゆる弱シールである。この点については、本明細書を通じて同様の意味である。
【００１０】
両流路は種々の構成をとることができるが、例えば、第２の流路を、排出具本体の中央に配置し、第１の流路で、第２の流路の周囲を囲むように配置することができる。これにより、第１の流路は、広い範囲に配置されるため、容器本体内の薬剤を排出しやすくなる。
【００１１】
また、第１の流路の総断面積を、第２の流路の総断面積よりも大きくすることができる。第２の流路の断面積は小さいが、これは一部の収納室に収納される薬剤を注入するからであり、通過する薬剤は少ない。一方、第１の流路は、複数の収納室の混合後の薬剤が通過するため、第２の流路を通過する薬剤よりも量が多い。よって、第２の流路の総断面積を大きくしておけば、薬剤をスムーズに排出することができる。
【００１２】
また、第１の流路及び第２の流路を、容器本体側から外部に露出する側へ延びる途中で合流させ、排出具本体において容器本体側から外部に露出する側に単一の開口を形成することができる。これにより、１つの栓部材で第１及び第２の流路を塞ぐことができ、薬剤の排出を確実に防止することができる。
【００１３】
また、第１の封止部材も種々の形態にすることができる。例えば、貫通孔を有する円筒状に形成するとともに、軸方向に沿って２つに分割された第１の封止材及び第２の封止材で構成する。さらに、第１の流路を、第１及び第２の封止材によって塞ぎ、第１及び第２の封止材を、外力によって分離可能に互いに接続することができる。
【００１４】
本発明に係る第１の複室容器は、薬剤を収納する複数の収納室、及び前記各収納室間を開封可能に仕切る仕切り用封止部を備えた容器本体と、前記容器本体に取り付けられ、当該容器本体から薬剤を排出可能な、上述した薬剤排出具と、を備えている。
【００１５】
また、本発明に係る第２の複室容器は、薬剤を収納する複数の収納室、及び前記各収納室間を開封可能に仕切る仕切り用封止部を備えた容器本体と、容器本体に取り付けられ、当該容器本体から薬剤を排出可能な、上述した封止材を有さない薬剤排出具と、を備え、前記第１の封止部材の少なくとも一部が、前記容器本体において互いに対向する内壁面の一方に固定されている。
【００１６】
この構成によれば、第１の封止部材の少なくとも一部が、容器本体において互いに対向する内壁面の一方に固定されているため、次の効果を有する。すなわち、仕切り用封止部を開封するために、容器本体を押圧すると、内部の圧力が高まり、容器本体の端部において対向する内壁面同士が互いに離れていく。これにより、第１の封止部材が一方の内壁面側に引っ張られ、第１の流路を開封する。したがって、容器本体の押圧により、仕切り用封止部と、第１の流路との両方を同時に開封することができ、薬剤の排出操作を簡単にすることができる。なお、ここでいう「固定」とは、積極的な外力によっても外れない程度の強度をいい、いわゆる強シールである。この点については、第３及び第４の発明においても同じである。
【００１７】
また、本発明に係る第３の複室容器は、薬剤を収納する複数の収納室、及び前記各収納室間を開封可能に仕切る仕切り用封止部を備えた容器本体と、前記容器本体に取り付けられ、当該容器本体から薬剤を排出可能な、上述した２つの封止材を有する薬剤排出具と、を備え、前記第１及び第２の封止材は、前記容器本体において互いに対向する内壁面のそれぞれに固定されている。
【００１８】
この構成によれば、第１及び第２の封止材が、容器本体において互いに対向する内壁面のそれぞれに固定されているため、次の効果を有する。すなわち、容器本体を押圧すると、内部の圧力が高まり、容器本体の端部において対向する内壁面同士が互いに離れていくが、これにより、両封止材がそれぞれ各内壁面側に引っ張られる。その結果、両封止材が分離し、第１の流路が開封される。したがって、容器本体の押圧により、仕切り用封止部と、第１の流路の両方を同時に開封することができ、薬剤の排出操作を簡単にする。
【００１９】
また、本発明に係る第４の複室容器は、薬剤を収納する複数の収納室、及び前記各収納室間を開封可能に仕切る仕切り用封止部を備えた容器本体と、前記容器本体に取り付けられ、当該容器本体から薬剤を排出可能な、上述した封止材を有さない薬剤排出具と、を備え、前記第１の封止部材は、前記第１の流路における前記容器本体側の開口を塞ぐ基部と、当該基部と連結される一対の連結片と、を備え、前記各連結片は、前記容器本体において互いに対向する内壁面のそれぞれに固定されている。
【００２０】
この発明も、第２及び第３の発明と同様の効果を得ることができる。すなわち、容器本体を押圧すると、両連結片がそれぞれ各内壁面側に引っ張られるため、これによって、基部が引っ張られる。その結果、第１の流路が開封される。したがって、薬剤の排出操作を簡単にする。
【００２１】
さらに、本発明の第１から第４の複室容器は、前記容器本体を押圧すると、前記仕切り用封止部の開通とともに前記第１の封止部材が前記排出具本体から離脱し、前記第１の流路が開通される。
【００２２】
この構成によれば、仕切り用封止部を開封するために行う容器本体の押圧により、第１の封止部材の開封を行うことができる。そのため、仕切り用封止部を開封する前に第１の封止部材のみを開封して混合前の薬剤を患者に投与してしまうことがなくなり、より確実に未開通投与を防止することができる。なお、「仕切り用封止部の開通とともに」とは、第１の封止部材が、仕切り用封止部の開通と同時に、又は、若干時間が前後して排出具本体から離脱することをいう。すなわち、仕切り用封止部及び第１の封止部材の開封のために容器本体を押圧している間に、仕切り用封止部及び第１の封止部材が開封されればよく、仕切り用封止部及び第１の封止部材の開封の順序は問わない。ただし、仕切り用封止部が開封した後に第１の封止部材が開封されるように構成される方が好ましい。この点については、本明細書を通じて同様の意味である。
【発明の効果】
【００２３】
本発明によれば、複数の薬剤が個別に収納された複室容器において、混合前の薬剤が排出されるのを防止することができ、かつ、容易に製造することができる。
【図面の簡単な説明】
【００２４】
【図１】本発明の複室容器の一実施形態を示す正面図である。
【図２】本発明の薬剤排出具の一実施形態を示す平面図及び断面正面図である。
【図３】図２の断面分解図である。
【図４】図２の薬剤排出具の動作を示す断面図である。
【図５】本発明の他の実施形態の薬剤排出具の動作を示す断面図である。
【図６】本発明の他の実施形態の薬剤排出具の動作を示す断面図である。
【発明を実施するための形態】
【００２５】
以下、本発明に係る複室容器の一実施形態について図面を参照しつつ説明する。図１は、本実施形態に係る複室容器の平面図である。
【００２６】
図１に示すように、この複室容器１は、矩形状の２枚のフィルムの周縁部２を熱融着して扁平の袋状に形成された容器本体３と、この容器本体３に取り付けられる薬剤排出具２０とを備えている。
【００２７】
容器本体３は、長手方向に並べて配置され薬剤が封入される第１収納室１１及び第２収納室１２を有しており、２つの収納室は仕切り用封止部１３で仕切られている。また、薬剤排出具２０は容器本体３における第２収納室側１２の端部に接続されており、容器本体３から薬剤を排出する役割を果たす。一方、容器本体３において薬剤排出具２０と反対側の端部には、複室容器１をフック等に吊り掛けるための吊掛孔１４が周縁部２に形成されている。また、容器本体３において、第１収納室側１１の端部には、吊掛孔１４と隣接して薬剤注入具４が設けられている。この薬剤注入具４は、第１収納室１１に薬剤を注入するためのものであり、薬剤が通過する筒状に形成され、ゴム栓４０によって封止されている。
【００２８】
容器本体３を構成するフィルムの材質としては、ポリエチレン、ポリプロピレン、ポリスチレン等の熱可塑性樹脂等、種々の樹脂材料を採用することができる。但し、後述するように仕切り用封止部１３は容器本体３の内壁面同士を融着することから、容器本体３のフィルムは互いに相溶性が乏しく融点の異なる樹脂を混合した混合樹脂で形成することが好ましい。このようにすると、融着強度の制御が容易になるという利点がある。そのような樹脂の組み合わせとしては、例えば、スチレン系樹脂、メタクリル酸エステル系樹脂、環状オレフィン樹脂、ポリ４−メチルペンテン、ポリエステル、ポリアミド、又はポリプロピレンから選ばれる樹脂と、ポリエチレンとの混合樹脂を例示することができる。そのうち、ポリエチレンとポリプロピレンとの混合樹脂、及びポリエチレンと環状オレフィン樹脂との混合樹脂は、医療用として安全性が確認されていること、及び製造上の取り扱いが確立されていることから特に好ましい。
【００２９】
また、容器本体３を形成するフィルムは、上述した樹脂のみからなる単層のフィルムの他、多層構造のフィルムを使用することができる。この場合、容器本体３の最内層を構成する樹脂層が上記のような樹脂から形成されていればよい。
【００３０】
仕切り用封止部１３は、上記のように容器本体３の内壁面同士を熱融着することで構成されており、収納室１１、１２の内圧を高めると開封するようになっている。このような融着強度としては、例えば、直径１００ｍｍの円板でいずれかの収納室を押圧し、１０〜３０ｋｇ程度の力をかけたときに仕切り用封止部１３が開封するようなものが適当である。
【００３１】
仕切り用封止部１３によって仕切られた各収納室１１、１２には、予め混合或いは溶解しておくとメイラード反応等の経時変化を起こすため隔離する必要がある各種薬剤ａ、ｂがそれぞれ封入されている。例えば、一方の収納室にアミノ酸を含有する溶液、他方の収納室にブドウ糖を含有する溶液を収納することができる。さらに、液剤だけでなく、いずれか一方の収納室に固形又は粉末薬剤を収納することもできる。但し、後述する開封操作を効率的に行うため、第２収納室１２には液状の薬剤を収納しておくことが好ましい。
【００３２】
次に、薬剤排出具２０について説明する。図２は薬剤排出具の一実施形態を示す平面図及び断面正面図であり、図３は図２の断面分解図、図４は図２の薬剤排出具の動作を示す断面図である。
【００３３】
図２及び図３に示すように、薬剤排出具２０は、円筒状の排出具本体２１を備えており、この排出具本体２１において、容器本体３に接続される端部に第１封止部材３１が取り付けられ、外部に露出する端部にゴム栓４０が取り付けられている。また、排出具本体２１の内部には、第２封止部材３２が取り付けられている。排出具本体２１には、軸線方向に延びる断面円形の第１流路２２及び第２流路２３が形成されている。まず、第２流路２３から説明する。第２流路２３は、排出具本体２１の両端部を連通するように延びており、外部に露出する側の開口をゴム栓４０によって塞いでいる。また、この第２流路２３は、排出具本体２１の周方向の中央に配置されており、容器本体３側の端部では径が小さく、ゴム栓４０側へ向かう途中で径が大きくなっている。一方、図２（ａ）に示すように、第１流路２２は、容器本体３側の端部においては、第２流路２３を囲むように、周方向に複数形成されている。そして、容器本体３側からゴム栓４０側へ向かう途中で、径が大きくなっている第２流路２３に連通している。
【００３４】
第１封止部材３１は、貫通孔３１１を有する円筒状に形成されており、排出具本体２１とほぼ同一の外径を有するとともに、第１流路２３とほぼ同一の内径を有している。この第１封止部材３１は、排出具本体２１の容器本体３側に融着されている。但し、外力を加えると、排出具本体２１から離脱する程度の強度で排出具本体２１に取り付けられている。また、第１封止部材３１は、外形が排出具本体とほぼ一致するとともに、貫通孔３１１が第２流路２３と一致するように取り付けられる。こうして、第１封止部材３１の内壁面と外壁面との間の肉厚で周方向に亘って第１流路２２が塞がれる。一方、第２封止部材３２は、第２流路２３における容器本体３側の端部に嵌め込まれており、これによって、第２流路２３を塞いでいる。
【００３５】
次に、上記した複室容器の製造手順について説明する。まず、排出具本体２１及び第１封止部材３１を製造する。そして、排出具本体２１と第１の封止部材３１とを、上述したような強度で、離脱可能に融着する。次に、この排出具本体２１と第１封止部材３１とが融着されたものを、排出具本体２１の一端部が第２収納室１２に挿入し、他端部が容器本体３から外部に露出するように配置する。また、容器本体３の第１収納室１１側には、薬剤注入具４を配置しておく。この状態で容器本体３の周縁部２、及び仕切り用封止部１３を熱融着する。これにより、排出具本体２１が容器本体３の周縁部２に取り付けられる。このとき、第１封止部材３１は、図４（ａ）に示すように、容器本体３の一面３ａと強い強度で融着されて強シールを形成し、容器本体３の他の一面３ｂと弱い強度で融着されて弱シールを形成する。また、薬剤注入具４も容器本体３の周縁部２に取り付けられる。こうして、容器本体３が形成されると、仕切り用封止部１３によって仕切られた各収納室１１、１２に、上述した薬剤ａ、ｂを注入する。まず、第１収納室１１に、薬剤注入具４から薬剤ａを注入した後、図示を省略するゴム栓によって薬剤注入具４を封止する。
【００３６】
次に、排出具本体２１の外部に露出する端部、つまり第２流路２３の端部から薬剤ｂを注入する。薬剤ｂは第２流路２３、第１封止部材３１の貫通孔３１１を経て、第２収納室１２に注入される。このとき、第１流路２２は、第１封止部材３１によって容器本体３側の端部が封止されているので、薬剤ｂが第１流路２２を介して容器本体３へ注入されるのが防止される。薬剤の充填工程終了及び窒素置換工程終了後に、第２封止部材３２を真空装置でピックアップし、容器本体３側の小径の端部へ軽くセットする。そして、セットされた第２封止部材３２を次の工程で定位置まで押し込み固定する。このとき、第２流路２３は外部側の径が大きいため、第２封止部材３２を挿入しやすくなっている。こうして、第２流路２３が封止され、容器本体３から薬剤ｂが排出されるのを防止する。これに続いて、第２流路２３の外部に露出する端部にゴム栓４０を取り付ける。最後に、ゴム栓４０が外れないように固定するため、排出具本体２１の一端に設けられている係止片２１ａをゴム栓４０の凹部４０ａに係合させるように成形する。
【００３７】
続いて、上記のように構成された複室容器１の使用方法について説明する。複室容器１内の薬剤を患者に投与する前の状態においては、図４（ａ）に示すように、薬剤排出具２０には、第１封止部材３１及び第２封止部材３２で封止されている。このとき、誤って先にゴム栓４０に穿刺針を刺入したとしても、第１及び第２封止部材３１、３２によって第１及び第２の流路２２、２３が封止されているため、容器本体３内の薬剤が排出されることはない。そして、薬剤を患者に投与する際には、第２収納室１２の中心部を押圧し、仕切り用封止部１３を開封する。これにより、両収納室１１，１２の薬剤が混合される。このとき、第２収納室１２が押圧されることにより、容器本体３の端部においては内壁面同士が互いに離れるように広がる。これにより、第１封止部材３１は、強シールで融着されている部位に引っ張られ、弱シールで融着されている部位が剥離される。すなわち、仕切り用封止部１３の開封と同時に第１封止部材３１が排出具本体２１から離脱し、第１流路２２が開通する。続いて、ゴム栓４０に刺入針を刺し込むと、混合された薬剤が排出される。また、万が一、仕切り用封止部１３のみが開封され、第１封止部材３１が開封されない場合であっても、第１封止部材３１が容器本体３の内部に突出しているため、第１封止部材３１を押圧するなど、直接外力を加えて開封し、第１流路２２を開通することが可能である。
【００３８】
以上のように、本実施形態によれば、薬剤排出具２０に、第１流路２２及び第２流路２３を形成し、第１流路２２を予め第１の封止部材３１で塞いでいる。そのため、製造時において、容器本体３の周縁部２及び仕切り用封止部１３を熱融着して容器本体３を形成した後に、第２流路２３を介して容器本体３に薬剤を注入することが可能となる。なお、第２流路２３は、薬剤の注入後、第２封止部材によって封止されるため、容器本体３から薬剤が漏れることはない。このように、薬剤排出具２０を挟んで外周部２を熱融着し、容器本体３を形成した後に、薬剤を投入することができるため、熱融着を行う工程が一度でよく、容易に容器本体３を製造することができる。加えて、第１封止部材３１が第１の流路２２を塞いでおり、第２封止部材３２が第２の流路２３を塞いでいるため、使用時に誤ってゴム栓４０を先に開封しても薬剤は排出されず、第２収納室１２に収納された混合前の薬剤が排出されるのを確実に防止することができる。
【００３９】
以上、本発明の一実施形態について説明したが、本発明は、これに限定されるものではなく、その趣旨を逸脱しない限りにおいて種々の変更が可能である。例えば、上記薬剤排出具２０は、上記実施形態に限定されるものではなく、種々の形態を取り得ることができる。
【００４０】
例えば、上記実施形態では、第１封止部材３１が一方に引っ張られる形態を示したが、図５に示すように、中央で割れるように形成してもよい。具体的には、図５（ａ）に示すように、第１封止部材５１を、排出具本体２１とほぼ同一の外径を有する管を円周方向に二つ割りに形成された第１封止材５２及び第２封止材５３とで形成し、第１及び第２封止材５２、５３の一方の端部に半月板５４を取り付けて形成する。この半月板５４には、第１及び第２封止材５２、５３を併せたときに、第２の流路２３と概ね同一の直径を有する通液孔５５が設けられる。この第１の封止部材５１を、この第１の封止部材５１と容器本体３とを強い強度で融着して強シールを形成し、第１封止材５２と第２封止材５３、及び、半月板５４と排出具本体２１とを弱い強度で融着して弱シールを形成する。このようにすると、図５（ｂ）に示すように、仕切り用封止部１３を開封するために第２収納室１２を押圧することで、容器本体３の内壁面が互いに離れる際に、強シールに引っ張られて弱シールが剥離して、第１封止材５２及び第２封止材５３が分離し、かつ、半月板５４が排出具本体２１から剥離して、第１流路２２が開通する。
【００４１】
また、第１封止部材を、図６に示すように、フィルムで形成することもできる。具体的には、図６（ａ）に示すように、第１封止部材６１を、矩形状の一対の側片（連結片）６２と排出具本体２１の外径とほぼ同一の一辺を有する方形の底部（基部）６３とで形成し、底部６３に第２の流路２２とほぼ同一の直径を有する通液孔６４を設ける。この第１封止部材６１を、一対の側片６２と容器本体３の対向する各内壁面とを強い強度で融着して強シールを形成し、底部６３と排出具本体２１とを弱い強度で融着して弱シールを形成する。このようにすると、図６（ｂ）に示すように、仕切り用封止部１３を開封するために第２収納室１２を押圧することで、容器本体３の対向する内壁面が互いに離れる。これにより、強シールにより各側片６２が引っ張られて、底部６３が排出具本体から引っ張られる。これにより、弱シールが剥離し、第１流路２２が開通する。
【００４２】
さらに、上記実施形態では、複数の第１流路２２を、第２流路２３の周囲に配置しているが、例えば、第１流路と第２流路をそれぞれ一本ずつ配置して、それぞれが容器本体３側と、外部に露出する側とを連通するように形成することもできる。また、上記実施形態では、第１封止部材３１を、容器本体３の内壁面に融着し、第２収納室１２の押圧によって排出具本体２１から離脱するようにしているが、第１封止部材３１を、必ずしも容器本体３の内壁面に融着する必要はなく、手によって外力を加えて第１封止部材３１を排出具本体２１から離脱させてもよい。
【００４３】
また、上記実施形態では、薬剤が収納される収納室の数を２つにした容器本体について説明したが、これに限定されるものではなく、仕切り用封止部で仕切った３以上の収納室を設けることもできる。
【符号の説明】
【００４４】
１      複室容器
３      容器本体
１１    第１収納室
１２    第２収納室
１３    仕切り用封止部
２０    薬剤排出具
２１    排出具本体
２２    第１流路
２３    第２流路
３１、５１、６１    第１封止部材
３２    第２封止部材
４０    ゴム栓（栓部材）
５２    第１封止材
５３    第２封止材
６２    側片（連結片）
６３    底部（基部）
【図１】
0005594687.tif 000002
【図２】
0005594687.tif 000003
【図３】
0005594687.tif 000004
【図４】
0005594687.tif 000005
【図５】
0005594687.tif 000006
【図６】
0005594687.tif 000007